(57)【特許請求の範囲】
【請求項１】
情報信号を記録するためのディスク（１）と、ディスク（１）を収容する主室部（１０）がケース内部に区画してあるケース本体（２）とを備えており、
ケース本体（２）は、下面側が開口する薄い角箱状の上ケース（２ａ）と、上向きに開口する主室部（１０）を有して、上ケース（２ａ）に対して下面側から内嵌接合される下ケース（２ｂ）とで薄い角箱状に構成されており、
下ケース（２ｂ）は、主室部（１０）を区画する底壁（８）および周壁（９）と、周壁（９）の上端に連続して横向きに張り出し形成した接合壁（１１）とを含み、
接合壁（１１）を上ケース（２ａ）の上壁（５）の内面に接合することにより、ケース本体（２）の四隅下面の少なくとも一隅に、ディスクドライブ側の機器の入り込みを許す空所（１５）が下向きに開口する状態で形成されており、
前記空所（１５）に、下向きに開口する位置決め穴（１６）を備えた突起（１７）が設けられており、
位置決め穴（１６）の開口周縁に、位置決めピン（Ｐ）の受座（２０）で受け止め支持される基準面（１９）が設けられており、
基準面（１９）と底壁（８）の下面との間の上下寸法（ｈ）が、受座（２０）の突出寸法（Ｈ）より僅かに小さく設定してあるディスクカートリッジ。
【請求項２】
ケース本体（２）の隣接する２個の隅部下面に空所（１５）が形成されており、
両空所（１５）のそれぞれに、前記突起（１７）が設けられている請求項１記載のディスクカートリッジ。
【請求項３】
下ケース（２ｂ）の接合壁（１１）と、上ケース（２ａ）の上壁（５）とを両者（５・１１）の接合面において溶着して、上ケース（２ａ）と下ケース（２ｂ）とを分離不能に一体化してある請求項１又は２記載のディスクカートリッジ。
【発明の詳細な説明】
【０００１】
【発明の属する技術分野】
本発明は、光磁気ディスクに代表されるディスクカートリッジに関する。
【０００２】
【従来の技術】
この種のディスクカートリッジは、情報信号を記録するためのディスク、ディスクを収容するケース本体、および信号読み書き窓を開閉するシャッターなどで構成するのが一般的である。ケース本体は、上下ケースを蓋合わせ状に接合した四角形の薄い中空ケースからなり、内部にディスクを収容する円形の区画が設けてある。この区画を囲むリブより径方向外面の前後隅部には、一対の位置決め穴が下ケース側へ向って開口している。これらの位置決め穴を用いて、ディスクドライブに装填したディスクカートリッジを位置決め保持している。
【０００３】
【発明が解決しようとする課題】
ディスクドライブ、とくにポータブル型のディスクドライブ（ディスクプレイヤー）は、小形で薄く軽量であることが重要な商品仕様のひとつとされている。現行商品においても、電気回路部品の小形化や高集積度化、あるいは機構部品の高密度配置などによって、限界に近い状態にまで小形化が具現化されている。それでもなお、小形化、薄形化、軽量化に対する根強い要望があり、商品開発過程では、異なる担当部門間でミリメートル以下の単位でのスペースの奪い合いが行われている。
【０００４】
因みに、ディスクカートリッジをディスクドライブに装填した状態においては、位置決めピンが位置決め穴と係合して、ディスクカートリッジを前後、左右方向に位置決めし、さらに、上下方向の位置決めをも同時に行っている。具体的には、位置決めピンの突出基端に受座をフランジ状に張り出し形成し、この受座の上端面でケース底面を受け止め支持している。このような位置決め構造においては、ディスクカートリッジの底面と装填部底壁との間に、受座の突出寸法に等しいデッドスペースが生じるのを避けられない。本発明者は、このデッドスペースを解消するだけでも、ディスクドライブの薄形化に大きく寄与できる点に気付き、本発明を提案するに至った。
【０００５】
本発明の目的は、薄い角箱状のケース本体において、ディスクを収容する主室部以外の四隅部分を利用して、下向きに開口する空所を形成し、この空所を利用してディスクドライブ側の機器を配置することにより、ディスクドライブの小形化や薄形化を実現でき、あるいは機器配置に関して設計の自由度を向上できるディスクカートリッジを提供することにある。
【０００６】
本発明の他の目的は、ケース本体の位置決めピンに対する係合構造を改良して、ディスクドライブに装填した状態における、ディスクカートリッジの底面と装填部底壁との間の隙間を最小限化し、隙間を減少した分だけ、ディスクドライブの薄形化や小形化を容易に実現することにある。
【０００７】
【課題を解決するための手段】
本発明のディスクカートリッジは、情報信号を記録するためのディスク１と、ディスク１を収容する主室部１０がケース内部に区画してあるケース本体２とを備えている。ケース本体２は、下面側が開口する薄い角箱状の上ケース２ａと、上向きに開口する主室部１０を有して、上ケース２ａに対して下面側から内嵌接合される下ケース２ｂとで薄い角箱状に構成する。下ケース２ｂは、主室部１０を区画する底壁８および周壁９と、周壁９の上端に連続して横向きに張り出し形成した接合壁１１とを含む。接合壁１１を上ケース２ａの上壁５の内面に接合して、ケース本体２の四隅下面の少なくとも一隅に、ディスクドライブ側の機器の入り込みを許す空所１５を下向きに開口する状態で形成する。
【０００８】
ケース本体２の隣接する２個の隅部下面に空所１５を形成し、両空所１５のそれぞれに、下向きに開口する位置決め穴１６を備えた突起１７を設ける。位置決め穴１６の開口周縁には、位置決めピンＰの受座２０で受け止め支持される基準面１９を設ける。基準面１９と底壁８の下面との上下寸法ｈは、受座２０の突出寸法Ｈより僅かに小さく設定する。
【０００９】
下ケース２ｂの接合壁１１と、上ケース２ａの上壁５とを両者５・１１の接合面において溶着することにより、上ケース２ａと下ケース２ｂとを分離不能に一体化する。
【００１０】
【作用】
ケース本体２の四隅下面の少なくとも一隅に空所１５を設けるので、ディスクドライブの側においては、空所１５を利用して機構部品や電器部品などを配置でき、その分だけディスクドライブを小形化し、薄形化できる。多くの場合、ディスクカートリッジは、ローディング動作の最終過程において下降移動しながら位置決めピンと係合する。このようなローディング動作を満足する必要上、空所１５を下向きに開口する状態で形成している。
【００１１】
位置決め穴１６を備えた突起１７を空所１５に設けて、位置決め穴１６の基準面１９が関連する上下寸法ｈを受座２０の突出寸法Ｈより僅かに小さく設定すると、受座２０の突出寸法Ｈの殆どを空所１５で吸収できるので、ケース本体２の底壁下面と、ディスクドライブ装填部底壁２１との隙間を最小限化して、その分だけディスクドライブを薄く構成できる。突起１７は上ケース２ａと一体に形成してもよいし、下ケース２ｂと一体に形成することもできる。
【００１２】
下ケース２ｂの接合壁１１を上ケース２ａの上壁５に溶着するディスクカートリッジによれば、接合壁１１と上壁５とが互いに接合相手側の壁面を補強し合うので、空所１５を設けることに伴うケース本体２のケース強度や剛性の低下が避けられる。上下ケース２ａ・２ｂの接合部における接合面積が大きくなるので、両ケース２ａ・２ｂの接合隙間から異物が侵入することも良く防止できる。
【００１３】
【実施例】
図１ないし図３は本発明に係るディスクカートリッジの実施例を示す。図２の底面図において、ディスクカートリッジは、情報信号を記録する円盤状のディスク（光磁気ディスク）１と、ディスク１を回転自在な状態で収容するケース本体２とからなる。ディスク１はディスク本体の下面中央にハブを有し、ディスク本体の片面ないし両面に情報信号を記録できる。
【００１４】
ケース本体２は、それぞれプラスチック成形された上ケース２ａと下ケース２ｂとを接合した、平面視が四角形のケースからなる。上下ケース２ａ・２ｂの一側寄りには、信号読み書き窓３が開口してあり、この窓３はシャッター４でスライド開閉される。シャッター４は閉じ位置においてロック機構（図示していない）でロック保持される。
【００１５】
図３において上ケース２ａは、四角形の上壁５と、その四周辺部に設けた周側壁６とを有する、下面側が開口する薄い角箱体からなり、上壁５の一側上面にシャッター４用のスライド凹部７を浅く形成し、その片側に信号読み書き窓３を通設する。周側壁６の上下寸法はケース本体２の全厚寸法と同じに設定してある。
【００１６】
下ケース２ｂは、円形の底壁８と周壁９とで区画される主室部１０を有し、周壁９の上端から接合壁１１を水平に張り出す。ディスク１を収容する主室部１０は上向きに開口しており、その底壁８の中央にはハブを介してディスク１を回転駆動するための駆動穴１２が開口されている。駆動穴１２に隣接して、信号読み書き窓３を通設する。上ケース２ａと同様に、下ケース２ｂの下面側にもスライド凹部７を設ける（図２参照）。このスライド凹部７を除く主室部１０のまわりに接合壁１１を張り出し形成する。接合壁１１は周側壁６の内面に沿って上壁５と接合できるように形成される。この実施例では四隅の接合壁１１がフランジ状に連続して張り出す構造とした。
【００１７】
下ケース２ｂにディスク１やシャッター４用のロック機構などを組み込んだ後、上ケース２ａを下ケース２ｂに外嵌して、その上壁５と接合壁１１とを溶着することにより、ケース本体２を構成する。そのために、図３に示すごとく接合壁１１の上面に溶着用リブ１４をいくつか設けておく。接合壁１１を上壁５に接合固定することにより、ケース本体２の各隅部の下面に、下向きに開口する空所１５が形成される。
【００１８】
上記の各空所１５のうち、ケース本体２の長辺縁において隣接する空所１５のそれぞれに、位置決め穴１６を設ける。詳しくは、図１に示すように上ケース２ａの上壁５の内面から下向きにボス（突起）１７を突設し、このボス１７に位置決め穴１６を形成する。下ケース２ｂの接合壁１１には、ボス１７の通り抜けを許す通口１８を形成する。一対の位置決め穴１６のうち、一方は丸穴で形成し、他方は長円形の穴として形成する（図２参照）。
【００１９】
ディスクカートリッジをディスクドライブに装填した状態においては、図１に示すようにディスクドライブの装填部に設けた位置決めピンＰが各位置決め穴１６に内嵌係合して、ケース本体２を位置決め保持する。同時に、ボス１７の下端の基準面１９を位置決めピンＰの突出基端に設けた受座２０で受け止めて、ケース本体２のケース厚み方向の位置決めも行う。この位置決め状態において、ケース本体２の底面下方にデッドスペースが生じるのを避けるために、ボス１７の突出寸法を次のように設定してある。
【００２０】
図１において、基準面１９と底壁８の下面との間の上下寸法ｈが、受座２０の突出寸法Ｈより僅かに小さくなるように、ボス１７の突出寸法を規定した。換言すると、空所１５を利用して受座２０の突出寸法を吸収し、その分だけ底壁８を装填部底壁２１にできるだけ接近配置できるようにしてある。
【００２１】
以上のように構成したディスクカートリッジによれば、ケース下面に形成される空所１５を利用して、ディスクドライブの装填部に機構部品や電器部品などを配置できる。さらに、受座２０の突出寸法を吸収した分だけ、ディスクカートリッジの厚みを減少できるので、全体としてディスクドライブの小形化と薄形化とを、同時に実現できる。また、接合壁１１と上壁５とを溶着して、互いに接合相手の壁面を補強し合うので、空所１５を設けることに伴うケース本体２の強度や剛性の低下を解消できる。
【００２２】
図４はボス構造の変形例を示す。図４（ａ）に示すボス１７は、その下端面がケース本体２の底面と面一状になるように形成し、位置決め穴１６の下端に連続して、これより大径の第２穴２３を設け、第２穴２３の上端に基準面１９を設けるようにした。つまり、受座２０は第２穴２３に内嵌してケース厚み方向の位置決めを行うようになっている。
【００２３】
図４（ｂ）に示すボス１７は、下ケース２ｂと一体に形成した。詳しくは、接合壁１１の下面にボス１７を突設し、ボス１７を上下に貫通する穴を設けてこれを位置決め穴１６とした。なお、ボス１７は主室部１０の周壁９や、上ケース２ａの周側壁６と連続する非円形の突起として形成することができる。
【００２４】
上記の実施例では、下ケース２ｂに設けた周壁９のみで主室部１０の周面を区画したがその必要はない。図４（ｂ）に示すように、上ケース２ａの上壁内面に設けた周壁９ａと、下ケース２ｂに設けた周壁９ｂとで、主室部１０の周面を区画することができる。上記の実施例以外に、空所１５はケース本体２の四隅のうち、少なくともひとつの隅部に設けてあってもよい。
【００２５】
【発明の効果】
本発明では、ディスク１を収容する主室部１０より径方向外側の、ケース本体２の四隅に生じるデッドスペースを利用して、そこに下向きに開口する空所１５を形成した。従って、この空所１５に相当するスペースに電気回路部品などや機構部品などを配置することにより、ディスクドライブを小形化し、あるいは薄形化できる。また、空所１５に位置決め穴１６を備えた突起１７を設け、位置決めピンＰの受座２０の突出寸法Ｈを空所１５で吸収できるようにしたディスクカートリッジによれば、ディスクドライブの装填部において、受座２０の突出寸法に相当するデッドスペースが生じるのを解消できるので、その分だけディスクドライブをさらに薄形化し、小形化できる。
【図面の簡単な説明】
【図１】図２におけるＡ−Ａ線断面図である。
【図２】ディスクカートリッジの底面図である。
【図３】ケース本体の分解斜視図である。
【図４】突起の別の実施例を示す断面図である。
【符号の説明】
１  ディスク
２  ケース本体
５  上壁
８  底壁
９  周壁
１０  主室部
１１  接合壁
１５  空所
１６  位置決め穴
１７  突起（ボス）
１９  基準面
２０  受座
Ｐ  位置決めピン
【図１】
0003884763.tif 000002
【図２】
0003884763.tif 000003
【図３】
0003884763.tif 000004
【図４】
0003884763.tif 000005